(57)【要約】【課題】ころの保持性能を低下させることなく、ころ組み込み性の向上、ころ組み込み時の保持器変形による形状の崩れの防止、および軽量化を図ることが出来る自動調心ころ軸受用くし型保持器を提供する。【解決手段】環状部５と複数の柱部６とでくし型に形成され、樽形のころ３を保持するポケット７が形成された自動調心ころ軸受用くし型保持器である。各柱部６のポケット内面６ａが、内輪軌道面１ａの最深部の保持器半径方向に垂直な方向に延びる円筒面である。各柱部５の先端の外径面に、最先端に至るに従って保持器内径側に下がるテーパー形状部９が形成される。テーパー形状部９は、ころ３の最大径となる保持器軸方向位置上またはこの軸方向位置よりも柱部先端側から始まる。各柱部６を保持器半径方向の外方から中心側に見た柱部幅が、柱部６の最先端で最も狭くなる。【選択図】図１
2020159533.tif 000002
【特許請求の範囲】
【請求項１】
複列の自動調心ころ軸受に用いられ、軸方向位置が両列の軌道面間に位置する環状部と、この環状部の周方向複数箇所から軸方向に突出する複数の柱部とでくし型に形成され、隣合う柱部間に樽形のころを保持するポケットが形成された自動調心ころ軸受用くし型保持器であって、
前記各柱部の前記ポケットを構成する面であるポケット内面が、前記内輪の軌道面の溝形状最深部の保持器半径方向に垂直な方向に延びる円筒面であり、
前記環状部の外径が前記ころの配列のピッチ円直径ＰＣＤよりも大きく、前記環状部の内径が前記ピッチ円直径ＰＣＤよりも小さく、
前記各柱部の先端の外径面に、最先端に至るに従って保持器内径側に下がるテーパー形状部が形成され、前記テーパー形状部は、前記ころの最大径となる保持器軸方向位置上またはこの軸方向位置よりも柱部先端側から始まり、
前記各柱部を保持器半径方向の外方から保持器中心側に見た柱部幅が、前記柱部の最先端で最も狭くなる、
自動調心ころ軸受用くし型保持器。
【請求項２】
請求項１に記載の自動調心ころ軸受用くし型保持器において、前記柱部が前記環状部から前記軸方向の片側のみに突出する自動調心ころ軸受用くし型保持器。
【請求項３】
請求項１または請求項２に記載の自動調心ころ軸受用くし型保持器において、前記環状部の外径が前記ピッチ円直径ＰＣＤに対して、
ＰＣＤ×１０２〜１０５％、
前記環状部の内径が前記ピッチ円直径ＰＣＤに対して、
ＰＣＤ×９５〜９８％、
前記柱部の前記ポケットを構成する部分の長さがころ長さの６５％以下、
である自動調心ころ軸受用くし型保持器。
【請求項４】
請求項１ないし請求項３のいずれか１項に記載の自動調心ころ軸受用くし型保持器において、鉄系材料で構成されている自動調心ころ軸受用くし型保持器。
【請求項５】
請求項１ないし請求項３のいずれか１項に記載の自動調心ころ軸受用くし型保持器において、黄銅系材料で構成されている自動調心ころ軸受用くし型保持器。
【請求項６】
請求項１ないし請求項５のいずれか１項に記載の自動調心ころ軸受用くし型保持器が用いられた自動調心ころ軸受。
【請求項７】
請求項６に記載の自動調心ころ軸受において、風力発電機の主軸の支持用に用いられる自動調心ころ軸受。
【発明の詳細な説明】
【技術分野】
【０００１】
この発明は、自動調心ころ軸受で使用されるくし型保持器、およびこの保持器を使用する軸受、特に風力発電機等に使われる大型の軸受で重量大および組立に工数が必要な軸受に、およびその保持器に関する。
【背景技術】
【０００２】
自動調心ころ軸受は、図１２に示すように、内輪１と外輪２の軌道面１ａ，２ａ間に、ころ３が複列に介在し、ころ３を保持する保持器４が各列毎に設けられている。外輪２の軌道面２ａは両列にわたる球面に形成され、ころ３は、外周面が外輪２の軌道面２ａに沿う形状、いわゆる樽形に形成されている。
【０００３】
保持器４は、図１４のように、環状部５とその周方向複数箇所から軸方向に突出する複数の柱部６とでくし型に形成され、隣合う柱部６の間で、ころ３を保持するポケット７が形成される。各柱部６のポケット７を構成する面であるポケット内面６ａ（図１３参照）は、ころ３の最大径に対応する円筒面に形成される。各柱部６は軸方向に突出しているが、円筒面のポケット内面６ａは、その中心ｃが、内輪軌道面溝形状最深部の保持器半径方向に垂直な方向に延びており、柱部６に対して傾斜する。このため、柱部内面６ａは、その傾斜した円筒面の中心に沿う方向にドリル加工することで形成されている。
【先行技術文献】
【特許文献】
【０００４】
【特許文献１】特開２００５−３４４８４８号公報
【特許文献２】特開２００６−３０８０４３号公報
【特許文献３】特開２０１７−１８０８３１号公報
【発明の概要】
【発明が解決しようとする課題】
【０００５】
前記のように、柱部６のポケット内面６ａが柱部６に対して傾斜しているため、柱部６の保持器円周方向の肉厚は均一ではない。図１４に示すように、柱部６は、外径側に比べて内径側の肉厚が薄く、外径面では柱部中央付近が最も薄肉になり、柱部先端が最も厚肉になる。すなわち、図１５のように、柱部６を外径側から見ると、柱部中央付近（矢印ｅで示す部分）が最も薄肉になっている。また、図１６のように、柱部６を内径側から見ると、柱部先端（矢印ｆで示す部分）が最も薄肉になっている。
【０００６】
また、保持器４は、軸受への組立後、ころ３が脱落すること、具体的には内輪１の端部側の小つば１ｂを超えてころ３が落ちることが無いように設計されている。すなわち、ころ３と持器４の柱部７との間のすきまを管理し、小つば１ｂところ３とが干渉する寸法とすることで、ころ３が脱落がないよう設定している。図で示すと、図１８の○印で囲んだ部分が干渉するよう設定されている。
【０００７】
このため、保持器４へのころ３の組み込みの際は、図１８に破線で柱部７の変形形状を示すように、ころ３が小つば１ｂを乗り越える程度に、保持器４を変形させる必要がある。このように変形させるため、保持器４の形状の崩れ、例えば円筒度の崩れ等が懸念される。
鉄や黄銅を使用した保持器を変形させるには相応の力が必要であり、風力発電機向けなどの大型の軸受（大型の保持器）になるほど作業者への負担が大きくなる。
【０００８】
なお、特許文献１には、ころ軸受のころ挿入方法及びころ軸受において、ころの組み込み傷を無くす方法が提案されている。しかし、専用治具が必要になる。
特許文献２には、保持器付き自動調心ころ軸受において、保持器柱の長さを変更し、入れ溝を設けることが組み込み性を向上させることが提案されている。しかし、入れ溝の加工が必要になる。
なお、特許文献３には、複列自動調心ころ軸受において、保持器柱の先端部の外径部を切り落としてテーパー形状とした図が示されている。しかし、テーパー形状とした部分の技術的意義の記載はなく、柱部のポケット内面の形状や柱部先端部幅等についての記載もない。ころの組み込みに関しては、内輪に入れ溝を設けて対処することが記載されている。
【０００９】
また、自動調心ころ軸受において、軽量化が求められている。特に、風力発電機用軸受など、大型軸受になると重量大となる為、軸受全体の軽量化が求められる。このため、その各構成部品に軽量化が求められ、保持器においても軽量化が求められる。
【００１０】
この発明は、上記課題を解消するものであり、その目的は、ころの保持性能を低下させることなく、ころの組み込み性の向上、ころ組み込み時の保持器変形による形状の崩れの防止、および軽量化を図ることの出来る自動調心ころ軸受用くし型保持器、並びに自動調心ころ軸受を提供することである。
【課題を解決するための手段】
【００１１】
この発明の自動調心ころ軸受用くし型保持器は、複列の自動調心ころ軸受に用いられ、軸方向位置が両列の軌道面間に位置する環状部と、この環状部の周方向複数箇所から軸方向に突出する複数の柱部とでくし型に形成され、隣合う柱部間に樽形のころを保持するポケットが形成された自動調心ころ軸受用くし型保持器であって、
前記各柱部の前記ポケットを構成する面であるポケット内面が、前記軌道面の溝形状最深部の保持器半径方向に垂直な方向に延びる円筒面であり、
前記環状部の外径が前記ころの配列のピッチ円直径ＰＣＤよりも大きく、前記環状部の内径が前記ピッチ円直径ＰＣＤよりも小さく、
前記各柱部の先端の外径面に、最先端に至るに従って保持器内径側に下がるテーパー形状部が形成され、前記テーパー形状部は、前記ころの最大径となる保持器軸方向位置上またはこの軸方向位置よりも柱部先端側から始まり、
前記各柱部を保持器半径方向の外方から保持器中心側に見た柱部幅が、前記柱部の最先端で最も狭くなる。
【００１２】
この構成によると、柱部のポケット内面が円筒面であるため、ころの確実な保持が行える。柱部のポケット内面となる円筒面の中心は、内輪軌道面の溝形状最深部の保持器半径方向に垂直な方向に延びているため、柱部が延びる方向に対して先端側が内径側へ傾斜し、従来品のように前記傾斜部がなければ、柱部を保持器半径方向の外方から保持器中心側に見た柱部幅が、前記柱部の最先端で最も広くなる。そのため、この広くなった柱部先端の外径部で阻害されてポケット内へのころの組み込みが行い難く、またその広い柱部先端の外径部が、強度や機能的に良い影響を持たない無駄部分となる。
この発明は、柱部先端の外径面に、保持器内径側に下がるテーパー形状部を形成することで、前記の機能的に良い影響を持たず、またころの組み込みを阻害する無駄部分を省いたため、ころの組み込み性が向上し、かつ保持器の軽量化が得られる。ころの組み込み性が向上するため、組み込み時に保持器を大きく変形させる必要がなく、保持器の変形による形状の崩れが防止される。
前記テーパー形状部は、前記ころの最大径となる保持器軸方向位置上またはこの軸方向位置よりも柱部先端側から始まるようにすることで、ころの保持性が確保される。
このように、ころの保持性能を低下させることなく、ころの組み込み性の向上、ころ組み込み時の保持器変形による形状の崩れの防止、および軽量化を図ることが出来る。
【００１３】
この発明の自動調心ころ軸受用くし型保持器において、前記柱部が前記環状部から前記軸方向の片側のみに突出する構成であってもよい。
環状部から柱部が軸方向の両方に延びるくし型保持器であってもよいが、柱部が片側のみに突出する構成とすることで、大型の自動調心ころ軸受に適用する場合等に、取扱性が良い。
【００１４】
この発明自動調心ころ軸受用くし型保持器において、前記環状部の外径が前記ピッチ円直径ＰＣＤに対して、
ＰＣＤ×１０２〜１０５％、
前記環状部の内径が前記ピッチ円直径ＰＣＤに対して、
ＰＣＤ×９５〜９８％、
前記柱部の前記ポケットを構成する部分の長さがころ長さの６５％以下、
であってもよい。
柱部のポケット構成部分の長さがころ長さの６５％以下であると、前記テーパー形状部を形成しない従来品に比べ保持器の性能が劣らぬよう、保持器が主にころを抱えている位置（ころ最大径位置）のポケット内面を確保しつつ、保持器容積が最小となる設計とできる。その場合、保持器外径はＰＣＤ×１０２〜１０５％、環状部の内径はＰＣＤ×９５〜９８％となる。
【００１５】
この発明の自動調心ころ軸受用くし型保持器において、鉄系材料で構成されていてもよい。
鉄系材料であると堅固である反面、通常では、ころの組み込みのために保持器を変形させるには相応の力が必要である。そのため、この発明の前記テーパー形状部を形成したことによる組み込み性の向上効果が効果的に発揮される。
【００１６】
この発明の自動調心ころ軸受用くし型保持器において、黄銅系材料で構成されていてもよい。
黄銅系材料の場合も、通常では、ころの組み込みのために保持器を変形させるには相応の力が必要である。そのため、この発明の前記テーパー形状部を形成したことによる組み込み性の向上効果が効果的に発揮される。
【００１７】
この発明の自動調心ころ軸受は、この発明の上記いずれかの構成の自動調心ころ軸受用くし型保持器が用いられている。
この発明の自動調心ころ軸受用くし型保持器を用いたことで、軸受全体の軽量化と、ころ組み込み時の保持器の形状崩れのない信頼性の高い性能とが得られる。
【００１８】
この発明の自動調心ころ軸受は、風力発電機の主軸の支持用に用いられる軸受であってもよい。
風力発電機は大型であるほど発電の効率が良く、大型化が進んでいるが、このような大型の風力発電機の主軸の支持に用いられる軸受は、必然的に大型となる。そのため、軸受全体の軽量化と、保持器へのころ組み込みの際の形状崩れの防止がより重要となるが、この発明の自動調心ころ軸受用くし型保持器が用いられることで、これら軽量化と組み込み性の両方の課題が解消される。
【発明の効果】
【００１９】
この発明の自動調心ころ軸受用くし型保持器は、複列の自動調心ころ軸受に用いられ、軸方向位置が両列の軌道面間に位置する環状部と、この環状部の周方向複数箇所から軸方向に突出する複数の柱部とでくし型に形成され、隣合う柱部間に樽形のころを保持するポケットが形成された自動調心ころ軸受用くし型保持器であって、前記各柱部の前記ポケットを構成する面であるポケット内面が、前記内輪の軌道面の溝形状最深部の保持器半径方向に垂直な方向に延びる円筒面であり、前記環状部の外径が前記ころの配列のピッチ円直径ＰＣＤよりも大きく、前記環状部の内径が前記ピッチ円直径ＰＣＤよりも小さく、前記各柱部の先端の外径面に、最先端に至るに従って保持器内径側に下がるテーパー形状部が形成され、前記テーパー形状部は、前記ころの最大径となる保持器軸方向位置上またはこの軸方向位置よりも柱部先端側から始まり、前記各柱部を保持器半径方向の外方から保持器中心側に見た柱部幅が、前記柱部の最先端で最も狭くなるため、ころの保持性能を低下させることなく、ころの組み込み性の向上、ころ組み込み時の保持器変形による形状の崩れの防止、および軽量化を図ることができる。
【００２０】
この発明の自動調心ころ軸受は、この発明の自動調心ころ軸受用くし型保持器を備えるため、軸受全体の軽量化と、ころ組み込み時の保持器の形状崩れのない信頼性の高い性能とが得られる。
【図面の簡単な説明】
【００２１】
【図１】この発明の一実施形態に係る自動調心ころ軸受の部分破断正面図である。
【図２】同自動調心ころ軸受のくし型保持器における周方向の一部を示す破断側面図である。
【図３】同自動調心ころ軸受におけるころの正面図である。
【図４】同くし型保持器の外観斜視図である。
【図５】同保持器の部分平面図である。
【図６】同保持器の部分破断平面図である。
【図７】同保持器の部分拡大平面図である。
【図８】同自動調心ころ軸受の寸法説明図である。
【図９Ａ】同くし型保持器の部分斜視図である。
【図９Ｂ】従来のくし型保持器の部分斜視図である。
【図１０Ａ】同実施形態に係るくし型保持器の一部を柱部先端側から見た部分側面図である。
【図１０Ｂ】同従来例に係るくし型保持器の一部を柱部先端側から見た部分側面図である。
【図１１】同実施形態に係る自動調心ころ軸受を用いた風力発電装置の構成説明図である。
【図１２】従来の自動調心ころ軸受の部分破断正面図である。
【図１３】同自動調心ころ軸受のくし型保持器における周方向の一部を示す破断側面図である。
【図１４】同従来のくし型保持器の部分斜視図である。
【図１５】同従来のくし型保持器を外径側から見た部分平面図である。
【図１６】同従来のくし型保持器を内径側から見た部分平面図である。
【図１７】同従来のくし型保持器を部分断面図である。
【図１８】同従来の自動調心ころ軸受の組み立て上の支障を示す説明図である。
【発明を実施するための形態】
【００２２】
この発明の一実施形態に係る複列自動調心ころ軸受およびそのくし型保持器を、図１ないし図１１と共に説明する。
図１に示すように、この複列自動調心ころ軸受１０は、内輪１と外輪２との間に軸方向に並ぶ２列のころ３，３が介在し、各ころ列毎に、保持器４，４によってころ３，３が保持されている。この複列自動調心ころ軸受は左右対称形状であり、両側の保持器４，４は互いに左右対称形状である。
外輪２の軌道面２ａは両列に渡って続く球面状であり、内輪１には、左右各列のころ３，３の外周面に沿う断面形状の軌道面１ａ，１ａが複列に形成されている。内輪１の外周面の両端には、つば（小つば）１ｂ，１ｂがそれぞれ設けられている。内輪１の外周面の中央部、すなわち左列のころ３と右列のころ３間に、中つば１ｃが設けられている。
【００２３】
各列のころ３，３は、外周面が外輪２の軌道面２ａに沿う断面形状である。言い換えると、ころ３は、外輪２の軌道面２ａに沿った円弧を中心線回りに回転させた回転体形状の曲面に外周面が形成され、いわゆる樽形とされている。ころ３は、ころ長さの中央が最大径となる対称ころであっても、またころ長さの中央に対して最大径の位置がずれた非対処ころであってもよい。図示の例では最大径となる箇所(直線ａ)は、ころ長さの中央(内輪軌道面１ａの幅の中央)よりも軸方向の中央側に、最大径となる箇所(直線ａ)が位置する非対称ころとされている。
【００２４】
保持器４は、軸方向位置が両列の内輪軌道面１ａ，１ａ間に位置する環状部５と、この環状部５の周方向複数箇所から軸方向に突出する複数の柱部６(図６)とでくし型に形成されている。図１のように、両列の保持器４は、環状部５で互いに接するように背合わせに配置され、いずれも環状部５が内輪１の中つば１ｃの外径面で案内される。
【００２５】
保持器４の柱部６は、長さ方向の各部が同一の基本断面形状の棒状の部分から、円筒面状のポケット内面６ａ(図２)が除去され、かつ先端にテーパー形状部９が設けられた形状とされている。前記基本断面形状は、それぞれ円筒面の一部を成す外周面および内周面と、半径方向に延びる両側の平面状の側面とでなる形状である。ポケット内面６ａを成す円筒面の直径は、ころ３の最大径よりも僅かに大きな径とされている。
柱部６のポケット７を構成する面であるポケット内面６ａは、中心線ｃが内輪１の軌道面１ａの溝形状最深部の保持器半径方向の直線ａに垂直な方向に延びる円筒面である。前記最深部は、ころ３の最大径を成す長さ方向位置であり、前記直線ａは作用線を成す。
【００２６】
保持器４の外径、内径、幅寸法は、次のように最適化されている。
保持器４の環状部５の外径Ｄｏは、ころ３の配列のピッチ円直径ＰＣＤよりも大きく、環状部５の内径Ｄｉはピッチ円直径ＰＣＤよりも小さい。
環状部５の外径Ｄｏは、例えば、ＰＣＤ×１０２〜１０５％、である。
環状部５の内径Ｄｉは、例えば、ＰＣＤ×９５〜９８％、である。
柱部６の長さＬ、詳しくは柱部６のポケット７を構成する部分の長さＬは、ころ長さＬ１（図３）の６５％以下とされている。
【００２７】
前記テーパー形状部９(図４〜図９Ａ)は、柱部６の先端の外径面に、最先端に至るに従って保持器内径側に下がるように形成されている。テーパー形状部９は、ころ３の最大径となる保持器軸方向位置(直線ａの位置)上、またはこの軸方向位置よりも柱部先端側から始まる。
柱部６に前記テーパー形状部９が形成され、かつ円筒面状のポケット内面６ａが柱部６が延びる軸方向に対して傾斜していることで、柱部６を保持器半径方向の外方から保持器中心側に見た柱部幅は、柱部６の最先端で最も狭く、幅Ｗ１(図７)となっている。また、柱部６の先端面６ｂの径方向寸法ｄ(図８)が小さくなっている。
【００２８】
材質例を説明すると、内輪１、外輪２、およびころ３は、軸受鋼製であり、保持器４には鉄系材料または黄銅系材料が用いられている。
【００２９】
この自動調心ころ軸受用くし型保持器４は、軽量化・組み込み性改善のために、保持器４の寸法を最小限にし、機能に影響しない部分を除去した設計とした。その結果、保持器４の内径・外径・幅寸法を最適化し、且つ保持器４の柱部６の先端部分を斜めに切り落としテーパー形状部９とした。
保持器４の性能は落とさずに最適設計とするため、以下の寸法関係とした。
軽量化のためにコンパクト化設計、且つ組込み後にころ３が脱落しないようにするため、ＦＭＥを用い軸受組立状態を再現することで、ころ３の脱落のない最適設計となる保持器内径・外径寸法を前記のように決定した。
【００３０】
また、従来品に比べ保持器４の性能が劣らぬよう、保持器４が主にころ３を抱えている位置（ころ最大径位置）のポケット寸法を確保しつつ最小設計とするため、保持器４の柱部６の長さＬ（ポケット部幅寸法）を、前記のように、ころ３の長さ×６５％以下とした。
その結果、ころ配列のピッチ円直径ＰＣＤに対して、前記のように、
円環部５の外径は、ＰＣＤ×１０２〜１０５％、
環状部５の内径は、ＰＣＤ×９５〜９８％、
となる。
【００３１】
また、保持器４の柱部６の中で、ころ保持性能及びころ脱落性能に関わらない部分をそぎ落とすことで軽量化し、かつころ組込時の入り口の寸法を極力広くし、組込み性を向上させるために、前記のように保持器４の柱部６の先端部分を外径側から斜めに切り落としたテーパー形状９とした。
このテーパー形状部９は、ころ保持性に関わるころ最大径位置(直線ａの位置)、またはそれよりも柱先端側から開始することで、ころ保持性を確保している。
テーパー形状部９は、傾斜角度が大きいほど先端部分の周方向幅Ｗが狭くなり、かつ径方向厚ｄが薄くなって、ころ組込時の入り口が広くなる為、組み込みの際に必要な柱部６の変形量が減り、組み込み性が向上する。しかし加工面では、保持器４の柱部６の先端のストレート面にドリルを当てて加工を進める為、平面を残す必要がある。その為テーパー形状部９の傾斜角度は、加工に支障のない最大角度で設定すべきである。
上記を満たす保持器４とした結果、保持器４の形状は、柱部６を外径側から見た状態で、柱部６の先端が最も狭い形状となる。
【００３２】
従来の保持器４では、図９Ｂ、図１０Ｂに示すように、保持器ポケット７の入り口の保持器先端面６ｂ（網点部）が大であった。この実施形態の保持器４（図９Ａ、図１０Ａ）では先端を切り取ってテーパー形状部９とすることで、保持器ポケット部入り口の柱先端面６ｂ（網点部）が従来品の柱先端面６ｂ（図９Ｂ、図１０Ｂ）よりも小さくなっており、組み込み性が向上している。
【００３３】
以上のように、この構成によると、次の各利点が得られる。
・保持器４の各部の寸法を最適化したことで最小限の断面となり、保持器４の軽量化となる。
・保持器４の柱部６の先端部における機能に影響しない部分を切り落とし、先端部をテーパー形状部９としたため、保持器４の軽量化となる
・保持器４の柱部６の先端の機能に影響しない部分を外径側からテーパー形状に切り落とし、テーパー形状部９としたため、保持器４の柱部６の先端の面積が減り、組立時にころ３と干渉する入り口部分の寸法が広がる。その為、ころ３の組み込み性が向上し、軸受組立の工数の削減、組立作業者の負担軽減が図れる。組み込み性の向上により、組み込み時に保持器４を大きく変形させる必要がなく、無理に形状変更させることによる保持器４の形状崩れを最小限に抑えることができる。
【００３４】
図１１は、風力発電装置の主軸支持装置の一例を示す。支持台２１上に旋回座軸受２２を介してナセル２３のケーシング２３ａが水平旋回自在に設置されている。ナセル２３のケーシング２３ａ内には、軸受ハウジング２４に設置された主軸支持軸受２５を介して主軸２６が回転自在に設置され、主軸２６のケーシング２３ａ外に突出した部分に、旋回翼となるブレード２７が取り付けられている。主軸支持軸受２５に、前記実施形態に係る複列自動調心ころ軸受１０が適用される。
主軸２６の他端は、増速機２８に接続され、増速機２８の出力軸が発電機２９のロータ軸に結合されている。ナセル２３は、旋回用モータ３０により、減速機３１を介して任意の角度に旋回させられる。主軸支持軸受２５は、図示の例では２個並べて設置してあるが、１個であっても良い。
【００３５】
風力発電機は大型であるほど発電の効率が良く、大型化が進んでいるが、このような大型の風力発電機の主軸の支持に用いられる軸受は、必然的に大型となる。そのため、軸受全体の軽量化と、保持器へのころ組み込みの際の形状崩れの防止がより重要となるが、この実施形態の自動調心ころ軸受用くし型保持器４が用いられることで、これら軽量化と組み込み性の両方の課題が解消される。
【００３６】
以上、実施例に基づいて本発明を実施するための形態を説明したが、ここで開示した実施の形態はすべての点で例示であって制限的なものではない。本発明の範囲は上記した説明ではなくて特許請求の範囲によって示され、特許請求の範囲と均等の意味および範囲内でのすべての変更が含まれることが意図される。
【符号の説明】
【００３７】
１…内輪
１ａ…軌道面
１ｂ…小つば
１ｃ…中つば
２…外輪
２ａ…軌道面
３…ころ
４…保持器
５…環状部
６…柱部
６a…ポケット内面
７…ポケット
９…テーパー形状部
１０…自動調心ころ軸受
ＰＣＤ…ピッチ円直径
【図１】
2020159533.tif 000003
【図２】
2020159533.tif 000004
【図３】
2020159533.tif 000005
【図４】
2020159533.tif 000006
【図５】
2020159533.tif 000007
【図６】
2020159533.tif 000008
【図７】
2020159533.tif 000009
【図８】
2020159533.tif 000010
【図９Ａ】
2020159533.tif 000011
【図９Ｂ】
2020159533.tif 000012
【図１０Ａ】
2020159533.tif 000013
【図１０Ｂ】
2020159533.tif 000014
【図１１】
2020159533.tif 000015
【図１２】
2020159533.tif 000016
【図１３】
2020159533.tif 000017
【図１４】
2020159533.tif 000018
【図１５】
2020159533.tif 000019
【図１６】
2020159533.tif 000020
【図１７】
2020159533.tif 000021
【図１８】
2020159533.tif 000022